(57)【要約】【課題】  精度高く組み立て得る露光ユニットを構成する。【解決手段】  板状材で成る基準プレート５１に対して印画紙の基材側を案内する基準面と、搬送ローラが挿通する複数の開口５１Ａとを形成し、この基準プレート５１を、フレームＦに形成された支持部Ｆａに対して平行ピン７２を介して位置決め状態で連結固定し、このフレームＦは搬送ローラと圧着ローラとを支持するよう構成した。【選択図】        図１１
2005104655.tif 000002
【特許請求の範囲】
【請求項１】
感光材料の基材側を案内する基準面を該ユニットに形成し、このユニットに備えた搬送ローラを前記感光材料の基材側に接触させ、この搬送ローラと、この搬送ローラに対向配置した圧着ローラとで感光材料を挟み込む形態で前記基準面に沿って感光材料を搬送する搬送機構を形成し、この搬送機構で副走査方向に搬送される感光材料に対し、前記副走査方向と直交する姿勢の主走査方向に沿ってライン状に露光を行う露光エンジンを備えている露光ユニットであって、
前記ユニットが、フレームと、このフレームに対して位置決め手段によって位置決め状態で連結固定された基準プレートとを備えて構成されると共に、この基準プレートに対して前記基準面と、前記搬送ローラが挿入する開口とを形成してある露光ユニット。
【請求項２】
前記基準プレートが、板状の材料の一方の面に前記基準面を形成し、かつ、この基準面に光線を吸収する反射防止層を形成して構成されると共に、前記位置決め手段は、該基準プレートと前記フレームとの間で嵌合すること、あるいは、接当することにより、基準プレートとフレームとの相対的な位置関係を設定するよう構成されている請求項１記載の露光ユニット。
【請求項３】
前記フレームが、前記基準プレートを支持する水平姿勢の支持体と、この支持体の下面側において前記搬送ローラの両端側に配置される下部壁体と、この支持体の上面側において前記圧着ローラの両端側に配置される上部壁体とを一体形成して構成されると共に、下部壁体に前記搬送ローラを支承する軸受の保持部を形成し、上部壁体に前記圧着ローラを位置変位自在に支持する支持機構の保持部を形成している請求項１又は２記載の露光ユニット。
【発明の詳細な説明】
【技術分野】
【０００１】
本発明は、感光材料の基材側を案内する基準面をユニットに形成し、このユニットに備えた搬送ローラを前記感光材料の基材側に接触させ、この搬送ローラと、この搬送ローラに対向配置した圧着ローラとで感光材料を挟み込む形態で前記基準面に沿って感光材料を搬送する搬送機構を形成し、この搬送機構で副走査方向に搬送される感光材料に対し、前記副走査方向と直交する姿勢の主走査方向に沿ってライン状に露光を行う露光エンジンを備えている露光ユニットに関する。
【背景技術】
【０００２】
上記のように構成された露光エンジンと類似するものとして、例えば、特許文献１に記載されるものが存在する。この特許文献１には、露光ヘッド５ａ（本発明の露光エンジン）より上流位置に第１駆動ローラ８１（本発明の搬送ローラ）と、これに圧着可能な第１圧着ローラ８２とを配置し、露光ヘッド５ａより下流位置に第２駆動ローラ８３（本発明の搬送ローラ）と、これに圧着可能な第２圧着ローラ８４とを配置し、印画紙２（本発明の感光材料）の乳剤層（本発明の感光面側）に対向する前ガイド面９１を形成した前ガイド部材９０と、印画紙２の基材層に対向する後ガイド面９３（本発明の基準面）を形成した後ガイド部材９２とを備えた点が記載されている（番号は文献中のものを引用）。
【０００３】
【特許文献１】特開２００２‐２３２７３号公報  （段落番号〔００３３〕〜〔００３７〕、図３）
【発明の開示】
【発明が解決しようとする課題】
【０００４】
感光材料を副走査方向に搬送しながら、その感光材料に対して主走査方向に沿ってライン状に画像情報の露光を行うものでは、特許文献１にも示されるように、露光エンジンによる露光位置においては搬送ローラによって決まった速度で感光材料を搬送し、この速度と同期するタイミングで露光を行い、また、露光位置においては基準面に感光材料を接触させることにより、その感光材料と露光エンジンとの相対距離を決まった値に維持するものとなっている。
【０００５】
従来からの露光ユニットでは鋳造等によって製造されたブロック状のフレームをフライス盤等によって平坦に加工することにより前記基準面を形成し、また、この基準面に開口を形成することにより搬送ローラが挿入される空間を作り出し、また、搬送ローラの端部を支持するボールベアリング等の軸受が配置される空間をフレームに形成している。ブロック状のフレームに基準面を作り出す加工は、フレームの露出部をフライス加工する程度の比較的容易な作業形態となる反面、基準面を形成する部材に搬送ローラが配置される開口を形成する加工は、フレームの外面に露出しない側を研削する作業形態となり、また、フレームに対して搬送ローラを支承するための軸受を嵌め込む空間を形成する加工は、基準面を形成する部材で遮られる部位を研削する作業形態となるので、加工に手間と時間が掛かる点において改善の余地があった。
【０００６】
また、一対の搬送ローラと、対応する一対の圧着ローラとを備えた露光ユニットを考えるに、一対の搬送ローラによって感光材料を搬送する面（夫々の搬送ローラにおける共通の接線が存在する平面）と、感光材料の基材側に接触する基準面とが略一致することが理想である。このような理由から、露光ユニットのフレームを加工する際には、基準面と搬送ローラとの相対位置の精度を高める必要があり、作業に一層の手間と時間を要しているのが現状であった。
【０００７】
特に、基準面には露光用の光線の反射を抑制するよう黒色となる反射防止層を形成する必要があるものの、基準面にのみ反射防止層を形成する場合でも、ブロック状のフレーム全体を取り扱わなくてはならず、手間が掛かるものであった。
【０００８】
本発明の目的は、精度高く組み立て得る露光ユニットを合理的に構成する点にある。
【課題を解決するための手段】
【０００９】
本発明の特徴は、感光材料の基材側を案内する基準面を該ユニットに形成し、このユニットに備えた搬送ローラを前記感光材料の基材側に接触させ、この搬送ローラと、この搬送ローラに対向配置した圧着ローラとで感光材料を挟み込む形態で前記基準面に沿って感光材料を搬送する搬送機構を形成し、この搬送機構で副走査方向に搬送される感光材料に対し、前記副走査方向と直交する姿勢の主走査方向に沿ってライン状に露光を行う露光エンジンを備えている露光ユニットにおいて、前記ユニットが、フレームと、このフレームに対して位置決め手段によって位置決め状態で連結固定された基準プレートとを備えて構成されると共に、この基準プレートに対して前記基準面と、前記搬送ローラが挿入する開口とを形成してある点にある。
【００１０】
この構成により、基準面を形成する際には、基準プレートの表面側から容易に加工を行え、搬送ローラが挿入する開口を基準プレートに形成する際には、この基準プレートの表面側と裏面側とから容易に加工を行え、フレームに対して搬送ローラを支承するためのボールベアリング等の軸受を嵌め込む空間を形成する加工も基準面に遮られることなく容易に行え、更に、基準プレートとフレームとを位置決め手段で位置決め状態で連結固定するので、相対位置を設定するために手間を掛けずとも高い精度での連結が可能となる。その結果、手間と時間とを掛けずに精度の高い露光ユニットを構成できたのである。
【００１１】
本発明は、前記基準プレートが、板状の材料の一方の面に前記基準面を形成し、かつ、この基準面に光線を吸収する反射防止層を形成して構成されると共に、前記位置決め手段は、該基準プレートと前記フレームとの間で嵌合すること、あるいは、接当することにより、基準プレートとフレームとの相対的な位置関係を設定するよう構成されても良い。
【００１２】
この構成により、基準面に反射防止層を形成するにも、基準プレートに対する処理を行うだけで良く、例えば、基準プレートより大型なフレームに一体形成された基準面に反射防止層を形成する処理と比較して処理が容易となり、基準プレートをフレームに連結する場合でも、位置決め手段で嵌合操作を行うこと、あるいは、接当操作を行うことにより基準プレートとフレームとの相対的な位置関係を精度高く決めるものとなる。
【００１３】
本発明は、前記フレームが、前記基準プレートを支持する水平姿勢の支持体と、この支持体の下面側において前記搬送ローラの両端側に配置される下部壁体と、この支持体の上面側において前記圧着ローラの両端側に配置される上部壁体とを一体形成して構成されると共に、下部壁体に前記搬送ローラを支承する軸受の保持部を形成し、上部壁体に前記圧着ローラを位置変位自在に支持する支持機構の保持部を形成しても良い。
【００１４】
この構成により、支持体に対して基準プレートを連結固定し、下部壁体に形成された保持部に保持した軸受で搬送ローラを支承し、上部壁体に形成された保持部に保持した支持機構によって圧着ローラを支持することにより露光ユニットを組立得るものとなる。
【発明を実施するための最良の形態】
【００１５】
以下、本発明の実施形態を図面に基づいて説明する。
〔全体構成〕図１に示すように、感光材料としての銀塩印画紙Ｐ（以下、印画紙Ｐと称する）に対して露光を行う露光ブロックＥｘと、このように露光された印画紙Ｐの現像処理を行う現像処理装置としての現像ブロックＤｅと、現像処理後の印画紙Ｐを乾燥する乾燥ブロックＤｒとを筐体１０に形成すると共に、処理後に筐体１０の上部から送り出される印画紙Ｐを水平方向に送るベルト搬送機構１１と、このベルト搬送機構１１からの印画紙をオーダ単位で仕分けて集積するソータ（図示せず）とを備えて写真プリント装置が構成されている。この写真プリント装置はデジタルミニラボと称せられるものであり、図面には示していないが、フィルムスキャナで光電変換して取り込んだ写真フィルムからの画像情報、あるいは、デジタルカメラで撮影した画像情報を該写真プリント装置に伝送することにより、前記露光ブロックＥｘにおいて、その画像情報に基づき印画紙Ｐに対して露光を行えるものとなっている。
【００１６】
前記露光ブロックＥｘは、印画紙マガジンＭに収納したロール状の印画紙Ｐを供給ユニットＵ１でプリントサイズに切断して送り出し、この供給ユニットＵ１からの印画紙Ｐを水平搬送ユニットＵ２で水平方向に搬送して露光ユニットＵ３に送り込み、この露光ユニットＵ３では印画紙Ｐに画像情報の露光を行い、この露光ユニットＵ３から送り出された印画紙Ｐを縦搬送ユニットＵ４で縦方向に振り分ける形態で搬送した後、前記現像ブロックＤｅに供給するよう構成されている。前記現像ブロックＤｅは、発色現像槽と漂白定着槽と安定槽とで成る複数の現像処理槽を有する現像処理ユニット１３、及び、夫々の現像処理槽に印画紙Ｐを供給するよう多数の圧着ローラを有した搬送ユニット１４を備えて構成されている。また、乾燥ブロックＤｒは印画紙Ｐに対して乾燥空気を供給する乾燥搬送経路１５を備えている。
【００１７】
図１及び図２に示すように、前記供給ユニットＵ１は、印画紙マガジンＭから印画紙を引き出す圧着型の供給ローラ１７と、印画紙Ｐを切断するカッター１８とを備えている。前記水平搬送ユニットＵ２は、印画紙Ｐを挟持搬送するチャッカー１９と、このチャッカー１９を水平方向に往復作動させる作動機構（図示せず）とを備えている。
【００１８】
前記露光ユニットＵ３は、圧着位置と開放位置とに切り換え自在な導入圧着ローラ２１と、この導入圧着ローラ２１に対向配置された導入ローラ２２と、圧着位置と開放位置とに切り換え自在な第１圧着ローラ３１と、この第１圧着ローラ３１に対向配置された第１搬送ローラ３２と、圧着位置と開放位置とに切り換え自在な第２圧着ローラ４１と、この第２圧着ローラ４１に対向配置された第２搬送ローラ４２とを備えると共に、第１、第２搬送ローラ３２、４２で副走査方向に搬送される印画紙Ｐに対して主走査方向にレーザビームＬＢをライン状に送り出すことにより走査露光を行う露光エンジンＥｎとを備えている。また、前記第１、第２搬送ローラ３２、４２と、これに対向する第１、第２圧着ローラ３１、４１とで、記基準面５１Ｓに沿って印画紙Ｐを搬送する搬送機構が構成されている（詳細は後述する）。
【００１９】
ちなみに、露光エンジンＥｎは、ケーシングに収納したＲ（赤）、Ｇ（緑）、Ｂ（青）の三原色のレーザ光源からのレーザビームＬＢを音響光学式の変調手段によって光量を調節した後、縦軸芯で回転するポリゴンミラーのミラー面で反射させることにより主走査方向に走査する状態で前記露光位置に送り出す構造のものが使用されている。尚、この露光エンジンＥｎとして液晶シャッター方式やＤＭＤ方式の使用が可能である。
【００２０】
前記縦搬送ユニットＵ４は、露光ユニットＵ３から水平方向に送り出される印画紙Ｐを先端側から受け入れ、後端側から送り出す圧着型の一対の反転ローラ６１と、この反転ローラ６１から上方に送り出される印画紙Ｐを受け取り、上方に送りながら２つの振り分け経路に交互に振り分けるチャッキングローラ６２を具備した振り分け作動部６３と、この振り分け作動部６３からの印画紙Ｐを受け取り、前記現像処理ブロックＤｅに供給する圧着型の複数の中間ローラ６４とを備えている。
【００２１】
〔印画紙の搬送形態〕この写真プリント装置では、印画紙マガジンＭの印画紙Ｐを供給ローラ１７で引き出してカッター１８に供給し、このカッター１８の部位を通過した印画紙Ｐの先端部を水平搬送ユニットＵ２のチャッカー１９で挟持して水平方向に搬送する。この搬送時に供給ローラ１７の回転量に基づいて印画紙Ｐの搬送量がプリントサイズに達したことを判別した時点で印画紙Ｐの搬送を一時的に中断してカッター１８によって印画紙Ｐの切り離しを行い、この後、印画紙Ｐの先端を露光ユニットＥｘの導入ローラ２２に受け渡し、この受け渡しの後に、水平搬送ユニットＵ２のチャッカー１９での挟持を解除する。露光ユニットＥｘでは、水平搬送ユニットＵ２から印画紙Ｐを受け取る際には導入圧着ローラ２１を予め開放位置に設定しておき、印画紙Ｐの先端が圧着可能な位置に達したタイミングで圧着位置に切り換えることにより導入圧着ローラ２１と導入ローラ２２との圧着によって搬送を開始する。
【００２２】
このように導入圧着ローラ２１と導入ローラ２２とで印画紙Ｐの搬送を開始する際には、第１圧着ローラ３１を予め開放位置に設定しておき、印画紙Ｐの先端が圧着可能な位置に達した時点で圧着位置に切り換え、また、これと連係して導入圧着ローラ２１を開放位置に切り換えることにより、この第１圧着ローラ３１と第１搬送ローラ３２との圧着によって搬送を開始し、この搬送と同期して露光エンジンＥｎによる露光を開始する。このように第１圧着ローラ３１と第１搬送ローラ３２とで印画紙Ｐの搬送を開始する際には、第２圧着ローラ４１を予め開放位置に設定しておき、印画紙Ｐの先端が圧着可能な位置に達した時点で圧着位置に切り換え、また、これと連係して第１圧着ローラ３１を開放位置に切り換えることにより、この第２圧着ローラ４１と第２搬送ローラ４２との圧着によって搬送を引き継いで行い、印画紙Ｐに対する露光を継続する。
【００２３】
縦搬送ユニットＵ４では、露光ユニットＵ３から印画紙Ｐが送り出される際には、前記反転ローラ６１に対して印画紙Ｐを先端側から受け入れ、この受け入れの後には、印画紙Ｐの後端位置に達するまで反転ローラ６１の駆動を継続する。この受け入れを行った後には、反転ローラ６１を水平軸芯周りで９０度回転させることにより印画紙Ｐを後端側を上方に向かわせ、その印画紙Ｐを上方に送り出す。この印画紙Ｐの送り出し以前に振り分け作動部６３をホームポジションに待機させておき、チャッキングローラ６２で印画紙Ｐを挟持した後には、振り分け作動部６３を上方に移動させると同時に、印画紙Ｐを振り分け経路の一方に振り分けるよう印画紙Ｐの幅方向にシフトさせ、前記中間ローラ６４に受け渡す作動を行い、次の印画紙Ｐに対して同様の作動を行うことにより、その印画紙Ｐを振り分け経路の他方に振り分けた後、中間ローラ６４に対して受け渡す作動を行うものとなっている。
【００２４】
以上のように説明した写真プリント装置の基本的な構成、及び、印画紙Ｐの基本的な搬送形態は、特開２００２−５５３９８号公報、特開２００２−５５４００号公報に記載されるように公知の技術であり、本発明は、露光ユニットＵ３のフレーム構造に特徴を有するものである。
【００２５】
〔露光ユニットの具体構造〕図３に示すように、露光ユニットＵ３は、アルミニウム鋳物製のフレームＦに対して、印画紙Ｐの基材の側を案内するアルミニウム板製の基準プレート５１と、印画紙Ｐの感光面側に配置されたステンレス板製のガイドプレート５２とを取り付けた構造を有している。また、印画紙Ｐの搬送方向での上流側には基準プレート５１の下側に光源Ｓａを配置し、ガイドプレート５２の上方に配置した中間フレーム５３に受光部Ｓｂを配置した赤外光式のセンサＳを備え、印画紙Ｐの搬送方向での下流側には基準プレート５１の下側に光源Ｓａを配置し、ガイドプレート５２の後端部に受光部Ｓｂを配置した赤外光式のセンサＳを備えている。この一対のセンサＳのうち、搬送方向の上流側のものは印画紙Ｐの端部位置の検出に基づいて露光のタイミングを決め、また、搬送方向の下流側のものは印画紙Ｐの端部位置の検出に基づいて縦搬送ユニットＵ４に印画紙Ｐを受け渡すタイミングを決めるように機能する。
【００２６】
図７〜図１１に示すように、フレームＦは前記基準プレート５１を支持する水平姿勢の支持体Ｆａと、この支持体Ｆａの両端部の下面側に配置される縦姿勢の一対の下部壁体Ｆｂと、前記支持体Ｆａの両端部の上面側に配置される縦姿勢の一対の上部壁体Ｆｃとを一体的に形成した構造を有している。下部壁体Ｆｂに前記導入ローラ２２を支承する軸受Ｂ（図４を参照）の保持部２２Ｘと、前記第１、第２搬送ローラ３２、４２を支承する軸受Ｂの保持部３２Ｘ、４２Ｘとを形成し、上部壁体Ｆｃに前記３つ圧着ローラ２１、３１、４１を揺動自在に支持する揺動軸２３、３３、４３（図４を参照）の軸受Ｂの保持部２３Ｘ、３３Ｘ、４３Ｘを形成している。
【００２７】
前記フレームＦの支持体Ｆａの上面側を研削加工等により平滑に仕上げて連結面Ｆｓを形成し、この連結面Ｆｓに平行ピン７２を立設固定し、この連結面Ｆｓに対してボルト７１が螺合する一対のネジ孔Ｔと、ボルト７３が螺合する一対のネジ孔Ｔとを形成し、更に、前記センサＳの光線が通過する２つの孔部Ｈを形成している。また、前記連結面Ｆｓの両側部に連結面より高レベルとなる支持面Ｆｔを形成し、一方の支持面Ｆｔにボルト７３が螺合する一対のネジ孔Ｔを形成し、更に、上部壁体Ｆｃの対向する段状部位Ｆｕに前記中間フレーム５３を固定するボルト７４が螺合するネジ孔Ｔを形成している。ちなみに、基準プレート５１の一方の端部側は前記ボルト７１により前記フレームＦの連結面Ｆｓに固定され、この基準プレート５１の他方の端部側は、前記ガイドプレート５２の他方の端部側に挿通するボルト７３によって前記ガイドプレート５２とともに固定される。
【００２８】
このフレームＦには前記下部壁体Ｆｂに形成される複数の保持部３２Ｘ、４２Ｘと、前記上部壁体Ｆｃに形成される複数の保持部２３Ｘ、３３Ｘ、４３Ｘとは該フレームＦの型成形時に予め設定された位置に形成されるものであるが、前記平行ピン７２の位置に基づいて軸受Ｂを嵌め込む面を精度高く仕上げている。
【００２９】
図３及び図４に示すように、前記導入ローラ２２は金属製の軸体２２Ａに対してゴムや樹脂で成る複数のローラ部２２Ｂを形成して成り、第１、第２搬送ローラ３２、４２は金属製の軸体３２Ａ、４２Ａに対して、アルミニウム等の金属材の表面にセラミックコーティングを施した複数のローラ部３２Ｂ、４２Ｂを形成して成り、前記３つの圧着ローラ２１、３１、４１は夫々とも、金属製の軸体２１Ａ、３１Ａ、４１Ａに対してゴムや樹脂で成る複数のローラ部２１Ｂ、３１Ｂ、４１Ｂを形成している。
【００３０】
そして、この導入ローラ２２の軸体２２Ａの両端部に備えたボールベアリング型の軸受Ｂを前記下部壁体Ｆｂの前記保持部２２Ｘに保持することにより、この導入ローラ２２をフレームＦに対して水平姿勢で遊転支承し、第１、第２搬送ローラ３２、４２の軸体３２Ａ、４２Ａの両端部に備えたボールベアリング型の軸受Ｂを前記下部壁体Ｆｂの前記保持部３２Ｘ、４２Ｘに保持することにより、この第１、第２搬送ローラ３２、４２をフレームＦに対して水平姿勢に遊転支承できるよう構成されている。尚、この導入ローラ２２、第１搬送ローラ３２、第２搬送ローラ４２は、夫々とも印画紙Ｐの搬送方向と直交する姿勢（主走査方向と平行となる姿勢）となる平行姿勢で支承される。
【００３１】
図５及び図６に示すように、前記導入ローラ２２はステッピングモータ型の導入モータＭ１から無端ベルト５５を介して伝えられる駆動力によって回転作動し、第１、第２搬送ローラ３２、４２は、ステッピングモータ型の搬送モータＭ２から２段に減速する無端ベルト５６、５７及びプーリ５８を介して伝えられる駆動力によって回転作動する。また、導入モータＭ１と搬送モータＭ２とを前記上部壁体Ｆｃに備えている。
【００３２】
前記導入圧着ローラ２１は、この導入圧着ローラ２１と平行姿勢の揺動軸２３に備えたアーム２４の揺動端部に対して遊転支承されている。この揺動軸２３が導入圧着ローラ２１を位置変位自在に支持する支持機構であり、この揺動軸２３の両端部に備えた軸受Ｂを前記上部壁体Ｆｃの前記保持部２３Ｘに保持することにより、揺動軸２３の軸芯周りでの揺動によって導入ローラ２２に圧着する圧着位置と、導入ローラ２２から離間する開放位置とに切り換え自在に構成している。また、前記アーム２４の揺動端には、導入圧着ローラ２１を導入ローラ２２の側に付勢する圧縮コイルバネ２５を備え、導入圧着ローラ２１の一方の端部側にカムフォロアー２６を遊転支承している。更に、このカムフォロアー２６を介して導入圧着ローラ２１を圧着位置と開放位置とに切り換え操作する回転カム２７を前記下部壁体Ｆｂに備え、この回転カム２７を無端ベルト２８を介して回転操作するカムモータＭ３を上部壁体Ｆｃに備えている。
【００３３】
前記第１、第２圧着ローラ３１、４１は、夫々と平行姿勢の揺動軸３３、４３に備えたアーム３４、４４の揺動端部に対して遊転支承されている。前記揺動軸３３が、第１圧着ローラ３１を位置変位自在に支持する支持機構であり、揺動軸４３が、第２圧着ローラ４１を位置変位自在に支持する支持機構であり、夫々の揺動軸３３、４３の両端部に備えた軸受Ｂを前記上部壁体Ｆｃの保持部３３Ｘ、４３Ｘに保持することにより、揺動軸３３、４４の軸芯周りでの揺動によって、夫々が第１、第２搬送ローラ３２、４２に圧着する圧着位置と、夫々が第１、第２搬送ローラ３２、４２から離間する開放位置とに切り換え自在に構成されている。また、夫々のアーム３４、４４の揺動端には第１、第２圧着ローラ３１、４１を対応する第１、第２搬送ローラ３２、４２の側に付勢する圧縮コイルバネ３５、４５を備えている。
【００３４】
夫々の第１、第２圧着ローラ３１、４１の一方の端部側にカムフォロアー３７、４７を遊転支承し、夫々のカムフォロアー３７、４７を介して第１、第２圧着ローラ３１、４１を圧着位置と開放位置とに切り換え操作する第１、第２回転カム３８、４８を一体的に回転するよう前記下部壁体Ｆｂに備え、この第１、第２回転カム３８、４８を無端ベルト５０を介して回転操作するカムモータＭ４を下部壁体Ｆｂに備えている。
【００３５】
前記基準プレート５１は、アルミニウム製の板材に対して前記導入ローラ２２のローラ部２２Ｂと、前記第１、第２搬送ローラ３２、４２のローラ部３２Ｂ、４２Ｂとが挿入する複数の開口５１Ａを形成する加工と、前記ボルト７１、７３が挿通するボルト孔５１Ｂを形成し、前記センサＳの光線が通過する孔部Ｈを形成する等の必要な加工とを施すと共に、基準面５１Ｓの側を研削加工等により平滑に仕上げ、必要な部位にバフ加工を行い、この後に、この基準面５１Ｓをアルマイト処理し、更に、このようにアルマイト処理した基準面５１Ｓに対して反射防止層として黒色の着色処理を行っている。また、この反射防止層を形成する手段として、アルミニウム素地表面に陽極酸化処理をした際に形成される微細な穴に黒色の染料を染み込ませる処理を想定している。そして、この基準プレート５１の裏面側には前記平行ピン７２（図９を参照）が嵌合する一対の凹状の嵌合部５１Ｃが形成されている。
【００３６】
前記基準プレート５１の端部のうち、印画紙Ｐの搬送方向での上手側には、印画紙Ｐを基準面の側に案内する傾斜面（すくい面）を形成してあり、前記開口５１Ａの開口縁のうち、下面側は、図３及び図１１に示す如く、ローラの外周面に沿うよう斜め姿勢に成形してある。夫々の開口５１Ａのうち、基準面側は印画紙Ｐの端部を基準面５１Ｓの側に案内するよう斜め姿勢に成形してある。
【００３７】
因みに、この基準プレート５１の製造工程としては、必要とする厚みを得る加工を行った後に、前記一対の嵌合部５１Ｃを形成し、この嵌合部５１Ｃを基準とした位置に前記複数の開口５１Ａを形成する加工を行い、嵌合部５１Ｃを基準とした位置に前記ボルト孔５１Ｂと、前記孔部Ｈとを形成する加工を行うことにより、第１、第２搬送ローラ３２、４２のローラ部の３２Ｂ、４２Ｂとの相対的な位置精度を高め、ボルト孔５１ＢとフレームＦの支持面Ｆａに形成したネジ孔Ｔとの相対的な位置精度を高め、孔部ＨとセンサＳとの相対的な位置精度を高めるものにしている。
【００３８】
前記ガイドプレート５２は、ステンレス製の板材に対して前記第１、第２圧着ローラ３１、４１のローラ部が挿入する開口５２Ａを形成し、前記露光エンジンＥｎからのレーザビームＬＢが通過するためのスリット５２Ｂを形成し、前記ボルト７３が挿通するボルト孔５２Ｃを形成し、前記センサＳの光線が通過する孔部Ｈを形成する等の必要な加工を施している。また、前記スリット５２Ｂの開口縁のうち下流側の端部を基準プレート５１から離間する側に屈曲させ、前記開口５２Ａのうち下流側に位置するものの開口縁のうち下流側の端部を基準プレート５１から離間する側に屈曲させることにより、印画紙Ｐを円滑に送るようにしている。更に、このガイドプレート５２において印画紙Ｐの搬送方向での下流側を折り曲げ、このガイドプレート５２の本体部分に平行姿勢となる支持片５２Ｄを形成し、この支持片５２Ｄに対して前記センサＳの受光部Ｓｂを取り付けている。
【００３９】
これらの構成から露光ユニットＵ３を組み立てる際には、フレームＦの連結面Ｆｓに突設した平行ピン７２と、基準プレート５１の嵌合部５１Ｃとを嵌合させた位置決め状態で、基準プレート５１の上面側からネジ孔Ｔに挿通したボルト７１を連結面Ｆｓのネジ孔Ｔに螺合させて固定した後、フレームＦの支持面Ｆｔに対してガイドプレート５２を載置して、ボルト孔５２Ｃに挿通したボルト７３を支持面Ｆｔのネジ孔Ｔに螺合させる順序で基準プレート５１と、ガイドプレート５２とをフレームＦに連結する。また、基準プレート５１の一端側（図７において右側）はガイドプレート５２のボルト孔５２Ｃに挿通したボルト７３によって固定される。このように連結することにより基準プレート５１の基準面５１Ｓとガイドプレート５２の下面側との間に印画紙Ｐが挿通可能なように０．８ｍｍ程度の隙間が形成される。
【００４０】
また、前記導入ローラ２２、第１、第２搬送ローラ３２、４２を軸受Ｂを介して保持部２２Ｘ、保持部３２Ｘ、４２Ｘに支承する工程は、基準プレート５１、ガイドプレート５２の連結の以前に行っても以後に行っても良いが、導入圧着ローラ２１、第１、第２圧着ローラ３１、４１をフレームＦに支持する工程は、基準プレート５１と、ガイドプレート５２とをフレームＦに連結した工程の以後となる。具体的には、導入圧着ローラ２１、第１、第２圧着ローラ３１、４１を対応する揺動軸２３、３３、４３に支持し、カムフォロアー２６、３７、４７を予め組み立てた状態で軸受Ｂを介して前記上部壁体Ｆｃに形成された保持部２３Ｘ、３３Ｘ、４３Ｘに対して支承する手順となる。これらの工程が終了した後に、前記圧縮コイルバネ２５、３５、４５を取付け、導入モータＭ１、搬送モータＭ２、カムモータＭ３、カムモータＭ４等をフレームＦに支持する工程等を行うことになる。尚、基準プレート５１の基準面５１Ｓに対して第１、第２搬送ローラ３２、４２のローラ部３２Ｂ、４２Ｂの外周面が僅かに突出するよう相対的な位置関係が設定される。
【００４１】
前記平行ピン７２は、本発明の位置決め手段の一例であるが、位置決め手段は平行ピン７２を用いた嵌合構造に限るものでは無く、図１２に示すように、フレームＦの連結面上に対して、同図に示す如く平面視で接当面が互いに直交する位置関係に配置される第１位置決め片８１、８１と、これから離間した位置に配置される第２位置決め片８２とを突出形成し、基準プレート５１の裏面側に対して、前記第１位置決め片８１、８１に接当する第１接当片８３と、前記第２位置決め片８２に接当する第２接当片８４とを形成し、これらによって位置決め手段を構成しても良い。尚、第１、第２位置決め片８１、８２を基準プレート５１の側に形成し、第１、第２位置決め片８３、８４をフレームＦの連結面Ｆｓに形成しても良い。
【００４２】
このように、本発明では、フレームＦと基準プレート５１とを別個に加工した後に、平行ピン７２等の位置決め手段を介して連結する構造を採用することにより、フレームＦを加工する際にも基準プレート５１を加工する際にも作業が容易となり、別個に加工したフレームＦと基準プレート５１とを位置決め手段を介して位置決め状態で連結固定するので、フレームＦに支持される第１、第２搬送ローラ３２、４２や、第１、第２圧着ローラ３１、４１との相対的な位置関係を精度高く設定できるものにしている。特に、基準プレート５１は基準面５１Ｓを平滑に仕上げた後に、アルマイト処理を施し、反射防止層として黒色となる着色を行うのであるが、これらの処理を行う際に基準プレート５１のみを扱うことで済むので、作業が極めて容易に行えるものにしている。
【００４３】
〔別実施の形態〕
本発明は、上記した実施の形態以外に以下に、印画紙Ｐを縦方向等、水平方向以外の方向に搬送しながら露光を行う露光ユニットに適用することが可能であり、材質はアルミニウムに限るものではなく、銅等を含む合金やステンレスであっても良い。また、反射防止層として塗料を塗布しても良く、この塗料として耐磨耗性が高く摩擦係数が低く光沢が低いものが最適である。
【図面の簡単な説明】
【００４４】
【図１】写真プリント装置の縦断側面図
【図２】印画紙の搬送経路の概略を示す斜視図
【図３】露光ユニットのフレームの部位を示す断面図
【図４】露光ユニットの搬送系を示す分解斜視図
【図５】導入ローラ、第１搬送ローラ、第２搬送ローラの駆動系の模式図
【図６】カムフォロアーの操作系を示す模式図
【図７】フレームと基準プレートとガイドプレートとの分解図
【図８】フレームと基準プレートとの分解状態を示す平面図
【図９】フレームに基準プレートを位置決め状態で固定する構造の断面図
【図１０】ガイドプレートの平面図
【図１１】フレームと基準プレートとガイドプレートとを示す分解斜視図
【図１２】接当型の位置決め手段を示す平面図
【符号の説明】
【００４５】
３２、４２    搬送ローラ
３１、４１    圧着ローラ
５１          基準プレート
５１Ａ        開口
５１Ｓ        基準面
Ｂ            軸受
Ｆ            フレーム
Ｆａ          支持体
Ｆｂ          下部壁体
Ｆｃ          上部壁体
Ｐ            感光材料
Ｅｎ          露光エンジン
【図１】
2005104655.tif 000003
【図２】
2005104655.tif 000004
【図３】
2005104655.tif 000005
【図４】
2005104655.tif 000006
【図５】
2005104655.tif 000007
【図６】
2005104655.tif 000008
【図７】
2005104655.tif 000009
【図８】
2005104655.tif 000010
【図９】
2005104655.tif 000011
【図１０】
2005104655.tif 000012
【図１１】
2005104655.tif 000013
【図１２】
2005104655.tif 000014